(57)【特許請求の範囲】
【請求項１】
弾性材製の略円錐台形状を呈するブーツ本体（１）と、前記ブーツ本体（１）の軸方向一端に設けた大径側端部（２）と、前記ブーツ本体（１）の軸方向他端に設けた小径側端部（３）とを有し、前記大径側端部（２）を軸方向に反転させて、前記大径側端部（２）をアダプタ（４）に挿入固定する自在継手用ブーツにおいて、前記大径側端部（２）が、滑らかに外周側に突出する円弧形状部分（５）により前記ブーツ本体（１）と連結すると共に、前記円弧状部分（５）から軸線に向って収斂する様に伸びる傾斜部（６）となっていることを特徴とする自在継手用ブーツ。
【請求項２】
前記傾斜部（６）の軸線に対する傾斜角度が５〜２０°であることを特徴とする請求項１記載の自在継手用ブーツ。
【請求項３】
前記ブーツの最大径部分が前記円弧状部分（５）であることを特徴とする請求項１または２記載の自在継手用ブーツ。
【請求項４】
前記大径側端部（２）と前記円弧状部分（５）の連結部の内外周面に互いに軸方向位置が異なる段差部（７）、（７）を設けたことを特徴とする請求項１〜３いずれか一項に記載の自在継手用ブーツ。
【請求項５】
前記小径側端部（３）外周面側にバンド固定用溝（８）を設けたことを特徴とする請求項１〜４いずれか一項に記載の自在継手用ブーツ。
【請求項６】
前記バンド固定用溝（８）の底面に環状のシール突起（９）を設けたことを特徴とする請求項１〜５いずれか一項に記載の自在継手用ブーツ。
【請求項７】
前記ブーツ本体（１）全体が内周側に張り出す円弧形状で形成されていることを特徴とする請求項１〜６いずれか一項に記載の自在継手用ブーツ。
【請求項８】
前記大径側端部（２）と前記小径側端部（３）とが連続する曲線で構成されていることを特徴とする請求項１〜７いずれか一項に記載の自在継手用ブーツ。
【請求項９】
前記円弧状部分（５）が外周面側に張り出していることを特徴とする請求項１〜８いずれか一項に記載の自在継手用ブーツ。
【請求項１０】
前記段差部（７）、（７）が、前記アダプター（４）にかしめ固定された際に、かしめ固定外の領域に存在することを特徴とする請求項１〜９いずれか一項に記載の自在継手用ブーツ。
【発明の詳細な説明】
【技術分野】
【０００１】
本発明は、自在継手用ブーツに関する。
また、本発明は、プロペラシャフト、操舵装置等の自在継手の作動部に使用される自在継手用ブーツに関する。
【背景技術】
【０００２】
従来、第３図に示す自在継手用ブーツが知られている。
【０００３】
この種の自在継手用ブーツは、ゴム若しくは熱可塑性エラストマー等の弾性材によりブーツ本体１００が形成されている。
このブーツ本体１００は略円錐台形状を呈している。
そして、このブーツ本体１００の軸方向一端は大径側端部２００と、軸方向他端は小径側端部３００となっている。
【０００４】
そして、この大径側端部２００を軸方向に反転させて、大径側端部２００をアダプタ４００に挿入した後、かしめ固定する態様の自在継手用ブーツが知られている。
しかしながら、この種自在継手用ブーツは、以下の様な問題点を惹起していた。
すなわち、第３図の実線で示す様に、大径側端部２００は、軸線と略平行な円筒形状となっている。
【０００５】
しかし、大径側端部２００を反転させると、破線で示す様に、その大径側端部２００は軸線に対しθ１だけ傾斜した円錐台形状となる。
一方、大径側端部２００を挿入するアダプタ４００のかしめ部４０１は軸線に平行な筒状部となっている。
【０００６】
このため、反転させた大径側端部２００をアダプタ４００のかしめ部４０１に挿入することが難しかった。
無理やりかしめ部４０１に挿入すると、かしめ部近傍にしわが発生し、円周上均一にかしめることが出来なかった。
また挿入を容易にする為に、潤滑材を大径側端部２００に塗布して挿入することが試みられたが、挿入しやすい代わりに抜けやすい問題及び製造コストがアップする問題を惹起した。
【０００７】
そこで、特開２００１−９９１８２号公報に記載の自在継手用ブーツが提案された。
この種自在継手用ブーツは、大径側端部を反転させた時に、大径側端部が円錐台形状とならない様に、ブーツ本体と大径側端部との連結部にシャープな直交する山形形状部（反り防止部）を設け、この先端に円筒形状の大径側端部を連結する構成とした。
しかしながら、この種自在継手用ブーツは、以下の様な問題点を惹起していた。
すなわち、シャープな山形形状部を設けているため、ブーツを折り返す際に、大きな力を必要とし、作業性が悪かった。
【０００８】
また、シャープな山形形状部が存在するため、均一に折り返すことが困難であった。
ブーツにシャープな山形形状部が存在するため、ここの部分において、ブーツの円滑な変位が難しい。
【特許文献１】特開２００１−９９１８２号公報
【発明の開示】
【発明が解決しようとする課題】
【０００９】
この様に、この種従来の自在継手用ブーツは、反転させた大径側端部をアダプタのかしめ部に挿入する作業が著しく困難であった。
【００１０】
また、挿入性を向上させるために、大径側端部に潤滑剤を塗布した場合は、挿入し易いが、抜け易いという問題を招来した。
更に、反転させた大径側端部の反りを防止する為に、シャープな直交する山形形状部（反り防止部）を設ける態様のものにあっても、挿入作業性を十分改善したものとはなっていなかった。
【００１１】
本発明は、このような課題に鑑みてなされたものであり、ブーツの大径側端部を反転させた後においても、アダプタのかしめ部に容易に挿入できる形状を維持した自在継手用ブーツを提供することを目的とする。
また、本発明は、ブーツ全体が連続する曲線で構成されているため、ブーツの変位が極めて滑らかに行える自在継手用ブーツを提供することを目的とする。
【課題を解決するための手段】
【００１２】
本発明の自在継手用ブーツは、弾性材製の略円錐台形状を呈するブーツ本体と、前記ブーツ本体の軸方向一端に設けた大径側端部と、前記ブーツ本体の軸方向他端に設けた小径側端部とを有し、前記大径側端部を軸方向に反転させて、前記大径側端部をアダプタに挿入固定する自在継手用ブーツにおいて、前記大径側端部が、滑らかに外周側に突出する円弧形状部分により前記ブーツ本体と連結すると共に、前記円弧状部分から軸線に向って収斂する様に伸びる傾斜部とする構成とした。
【発明の効果】
【００１３】
本発明は、以下に記載されるような効果を奏する。
請求項１記載の発明の自在継手用ブーツによれば、ブーツの大径側端部のアダプタへの取り付が容易である。
また、請求項２記載の発明の自在継手用ブーツによれば、ブーツの大径側端部の反転後の姿勢を、アダプタに取り付けるのに最良の姿勢とする事が出来る。
【００１４】
更に、請求項３記載の発明の自在継手用ブーツによれば、ブーツの変形を滑らかに出来る。
【００１５】
更に、請求項４記載の発明の自在継手用ブーツによれば、かしめ部によりブーツが損傷することを効果的に防止出来る。
【００１６】
更に、請求項５記載の発明の自在継手用ブーツによれば、ブーツを相手部材に確実に固定できる。
【００１７】
更に、請求項６記載の発明の自在継手用ブーツによれば、ブーツと相手部材との間の良好な密封性を維持できる。
【００１８】
更に、請求項７記載の発明の自在継手用ブーツによれば、ブーツ本体の変形が円滑に行える。
【００１９】
更に、請求項８記載の発明の自在継手用ブーツによれば、ブーツ全体の変形が円滑に行える。
【００２０】
更に、請求項９記載の発明の自在継手用ブーツによれば、ブーツの最も変位量が大きい大径部において、変形が円滑に行える。
【００２１】
更に、請求項１０記載の発明の自在継手用ブーツによれば、かしめ部によりブーツの損傷をより確実に防止出来る。
【発明を実施するための最良の形態】
【００２２】
以下、本発明を実施するための最良の形態について、第１図および第２図に基づいて説明する。
【００２３】
第1図に示す様に、本発明に係る自在継手用ブーツはゴム若しくは熱可塑性エラストマー等の弾性材によりブーツ本体１が形成されている。
【００２４】
このブーツ本体１は、内周側に円弧状に張り出す略円錐台形状を呈している。
そして、このブーツ本体１の軸方向一端は大径側端部２と、軸方向他端は小径側端部３となっている。
【００２５】
そして、この大径側端部２を軸方向に反転させて（第１図破線で示す）、大径側端部２を、第2図に示す様に、アダプタ４のかしめ部４１に挿入した後、かしめ固定する態様としている。
この大径側端部２は、円弧形状部分５によりブーツ本体１と連結すると共に、円弧状部分５から軸線に向って収斂する様に伸びる傾斜部６となっている。
この傾斜部６は、軸線に対して５〜２０°、好ましくは１０〜１５°傾斜している。
【００２６】
そして、ブーツの最大径部分が、滑らかな外周側に突出する円弧状部分５となっている。
この円弧状部分５は、外周面側に張り出す態様となっている。
このため、大径側端部２と小径側端部３とを結ぶブーツ全体が、連続する曲線で構成されることになる。
【００２７】
また、大径側端部２と円弧状部分５の連結部の内外周面に互いに軸方向位置が異なる段差部７、７が設けられている。
この段差部７，７はアダプター４にかしめ固定された際に、かしめ固定外の領域に存在する構成としている。
このことにより、かしめ部の応力の分散と、ブーツの曲げ応力の分散を図ることが出来る。
【００２８】
また、小径側端部３外周面側には、バンド固定用溝８が設けられており、このバンド固定用溝８の底面には、環状のシール突起９が形成されている。
このシール突起９は、軸方向に二列設ける態様としている。
【００２９】
以上のことから、本発明を実施するための最良の形態によれば、ブーツのアダプタへの取付が容易であると共に、安定したブーツ機能が発揮でき、結果として、長時間の使用に耐えうる自在継手用ブーツとすることができる。
【００３０】
また、本発明は上述の発明を実施するための最良の形態に限らず本発明の要旨を逸脱することなくその他種々の構成を採り得ることはもちろんである。
【図面の簡単な説明】
【００３１】
【図１】自在継手用ブーツにかかる本発明の実施の形態を示す断面である。
【図２】本発明に係る、自在継手用ブーツをアダプタに取り付けた断面図である。
【図３】従来技術に係る、自在継手用ブーツの断面である。
【符号の説明】
【００３２】
１‥‥ブーツ本体
２‥‥大径側端部
３‥‥小径側端部
４‥‥アダプタ
５‥‥円弧形状部分
６‥‥傾斜部
７‥‥段差部
８‥‥バンド固定用溝
９‥‥シール突起
【図１】
0004848825.tif 000002
【図２】
0004848825.tif 000003
【図３】
0004848825.tif 000004